(57)【要約】      （修正有）【課題】簡単な仕組みで介護をする者の僅かな腕の力や足の力により患者を浮上させられ様々なベッドの形態に合わせて取付け可能なシーツ交換用補助装置を提供する。【解決手段】シーツ交換用補助装置１は頭上側リフト装置３及び足側リフト装置４および患者吊り上げ用ベルト６より構成される。シーツ交換用補助装置をベット２の頭上側手すり７、足側手すり８に設置し、各リフト装置のリストアップ操作レバーを引き下げ患者を浮上させる。患者の体がシーツ上面より浮上した状態でシーツ交換が可能になる。【選択図】図１
2006239262.tif 000002
【特許請求の範囲】
【請求項１】
既存のベッドの長尺方向に設置されたフレームから吊り下げられた患者とシーツの間を滑り込ませて通る帯状の複数のベルトで患者を包みフレームの両端に具備された人力によるリフト装置により患者を浮上させシーツ交換を容易にし取り外しできる事を特徴とするシーツ交換用補助装置
【請求項２】
請求項１のリフト装置を動力によるものとしたシーツ交換用補助装置
【発明の詳細な説明】
【技術分野】
【０００１】
本発明は、シーツ交換補助装置に関するものである。
【背景技術】
【０００２】
従来の技術として人体用リフターの下記特許文献１が既に知られている。装置が大型で特殊なベッドを必要とし又、患者とベッドの間に挿入するバンドの一端を巻上げて浮上させる為に患者とベルトの間で摩擦が生じ患者の患部を刺激しかねない。又巻上げ式では吊り上げ位置を簡単に移動できない。本発明は既存のベッドに取り付け可能であり在宅で直接布団が敷かれている場合でもオプションにより使用可能である。患者を垂直に上方に浮上させる為に摩擦が少なく患者に優しい。
【０００３】
従来の技術として介護用ベッドの下記特許文献２が既に知られている。ベッドの側面に取り付けられたリフトバーが上下するものであるがベッドに加工が必要で既存のベッドに取り付け携行することを目的にした本発明とは異なる。
【０００４】
【特許文献１】特開２０００−２１０３４６
【特許文献２】特開平０９−０１９４６２
【発明の開示】
【発明が解決しようとする課題】
【０００５】
従来の技術で表記した様に従前までは、患者を浮上させる装置として特殊なベッドやベッドに特別な加工が必要であり広く使われる事は無かった。またクレーン式の患者の吊り上げ装置も存在するがシーツ交換の為には装置が大きく使用されることが敬遠されている。介護者の負担を軽減する為には取り付けが簡単で軽く非使用時には折畳んだりしてベッド下などの保管スペースを小さく出来るものが望まれる。介護を必要とする患者には骨折や治療箇所を避けて浮上させられるよう移動可能な複数の帯状のベルトが必要である。本発明が解決しようとする課題は、上記及び簡単な機構よる扱いやすさを維持し安価にシーツ交換補助装置を提供することが課題である。
【課題を解決するための手段】
【０００６】
上記課題を解決する為に一般的に使用されているベッドの頭上側手すりと足側手すりの上面にリフト装置を取付けリフト装置間にフレームを渡しフレームの一方から帯状の患者とシーツの間を容易に滑り込ませられる複数の薄板を他方のフレームへ長さ調整可能な状態で取付ける。使用時は各患者のベッドへ取り付け患者の下に帯状の薄板を滑り込ませ遊びの無い状態とする。頭上側のリフト装置を作動し患者の上半身を浮上させ足側のリフト装置により下半身を浮上させベッド上面から数センチ浮上させる。浮上させた時点でシーツ交換を行いゆっくりと着地させる。使用後は他のベッドに取付けたり折畳んでベッド下へ収納する。簡単なリフト装置の為に構造が単純な物となり軽量に製作できコストも少なくなり安価に提供する事が出来る。構造が簡単な為折畳みや分解による設置スペースの縮小が可能であり解決手段となる。
【発明の効果】
【０００７】
本発明は病院用ベッドへの使用を主眼としているが、取付け部へのオプション品により在宅等で畳の上へ布団を敷いている場合でも使用でき車輪つきのオプション品では移動も可能となる。
【０００８】
介護者が女性で高齢な場合も多く体力的に浮上させることが困難な場合もあるが本発明では足踏みレバーをオプションで取付ければ介護者の体重により簡単に浮上させられる事が可能となる。
【０００９】
本発明は頭上側と足側を別々に浮上させられる為に患者への負担が少なく又、上半身・下半身と分けて浮上させると着替えやオムツ交換などにも使用が可能である。
【００１０】
病院等に於いてシーツ交換はワゴンなどで洗濯された物と汚れた物を一緒に運ぶことが多くワゴンに本発明の装置を積載できれば当事者の負担が軽減できる。本発明は構造が単純な為容易に折畳める構造又は分解可能な構造にできワゴンへの積載も可能となる。
【発明を実施するための最良の形態】
【００１１】
最良の形態は病院用ベッドの頭上側手すりと足側手すりの上部にリフトアップ装置を設置しフレームにより接続される。フレームの一方から吊り下げられた帯状の薄板を患者とシーツの間に通し長さを調整しながら他方のフレームに取付ける。次に本発明の実施の形態の一つを図面に従い説明する。
【実施例１】
【００１２】
図１は本発明の概要図であり各構成部品の位置関係を示す。本発明のシーツ交換補助装置は様々な形状のベッドに取付ける事を目的にしたものであるが実施例として病院用ベッドでの使用例を説明する。
【００１３】
病院用ベッド２の頭上側手すり７足側手すり８に頭上側リフト装置３足側リフト装置４を設置し装置間を接続されたフレーム５に患者吊り上げ用ベルト６を必要数（図に於いては６本）取付ける。
【００１４】
病院用ベッド２にシーツ交換補助装置１を取り付け病院用ベッド固定装置１１によりベッドに固定する寝たきりとなっている患者の下に患者吊り上げ用ベルト６を滑り込ませ患者の骨折箇所などの患部をさけて長さを調整しベルト接続金具１７を長さ調整用穴１８に差し込む。各部の確認を行い患者に声をかけながら頭上側リフト装置３のリフトアップ操作レバー１２を引き下げリフトアップ装置移動部９がリフトアップ用ローラー１４の移動により上方へ上げられる。リフトアップ装置移動部９に接続されたフレーム５が上方に上がり患者吊り上げ用ベルト６も同時に上げられる為に患者の上半身が浮上する。同様に足側リフト装置４のリフトアップ操作レバー１２を引き下げ下半身も浮上させる。
【００１５】
患者の体がシーツ上面から浮上した状態でシーツ交換を行い下半身と上半身をリフトアップ操作レバー１２を押し戻すことにより降下させる。着替え・オムツ交換等を場合により上半身・下半身を浮かせた状態で行う。患者の清潔なシーツ上への接地を確認してベルト接続金具１７から患者吊り上げ用ベルト６を外しゆっくり引き抜く。シーツ交換作業の終了確認を行いベッドからシーツ交換補助装置１を取り外す。
【００１６】
病室内全ての患者へのシーツ交換が終了後、折り畳みや収縮操作により装置を縮小しベッド下などに収納する。病室間の移動は折り畳み移動時キャスター１９などによりワゴンと共に移動する。
【００１７】
スライド用外筒１５スライド用内筒１６は上下するリフトアップ装置移動部９のガイド装置であり患者の体が斜めに引き上げられるより垂直に浮上させた方がベルトによる摩擦を少なくできる。又患者への負担を少なくする為にゆっくりとした動作が必要な場合はダンパー及びクッションを内蔵することも可能である。介護者が高齢な女性の場合など体力に不安のある時には補助用足踏みペダル２３を足踏みペダル取付け穴１３に取り付け脚力や体重によりリフトアップを容易なものとし降下時にもゆっくりとした動作をさせることが出来る。
【００１８】
在宅での介護では在宅用スタンド２０などにより本装置を使用可能なものとし各ベッド専用のスタンドを設けることで広範囲な市場のニーズに合わせられスケールメリットにより装置を廉価にすることが出来る。
【００１９】
本装置の材質としては様々なものが考察できるが実施するための最良の材質として下記の材質が考えられる。フレーム及びリフト装置は十分な強度と患者の上部に設置する為に軽量であり金属アレルギーの心配が少ないチタン合金最適と思われる。患者の身体とシーツの間を滑り込ませる患者吊り上げ用ベルトには金属の薄板や皮製品などが考察する事が出来るがポリプロピレンなどの樹脂製のものが滑り込ませ易く曲げにも強く最適と思われる。フレームとの接続はテント地などの布で加工しやすいのも、ベルト接続金具はチタン合金及びステンレスが最適と思われる。ベッドへの固定装置では患者との接触が考えられる為に布製のテープなどが最適と思われる。
【図面の簡単な説明】
【００２０】
【図１】シーツ交換補助装置概要斜視図
【図２】シーツ交換補助装置浮上時斜視図
【図３】リフト装置セット時斜視図
【図４】リフト装置アップ時斜視図
【図５】ベルト調整部斜視図
【図６】装置保管（折り畳み時）移動時詳細図
【図７】オプション品斜視図
【符号の説明】
【００２１】
１シーツ交換補助装置
２病院用ベッド
３頭上側リフト装置
４足側リフト装置
５フレーム
６患者吊り上げ用ベルト
７頭上側手すり
８足側手すり
９リフトアップ装置移動部
１０リフトアップ装置固定部
１１病院用ベッド固定装置
１２リフトアップ操作レバー
１３足踏みペダル取付け穴（オプション品）
１４リフトアップ用ローラー
１５スライド用外筒
１６スライド用内筒
１７ベルト接続金具
１８長さ調整用穴
１９折り畳み移動時キャスター
２０在宅用スタンド（オプション品）
２１布団（ベッド未使用）
２２患者移動用キャスター付スタンド（オプション品）
２３補助用足踏みペダル（オプション品）
【図１】
2006239262.tif 000003
【図２】
2006239262.tif 000004
【図３】
2006239262.tif 000005
【図４】
2006239262.tif 000006
【図５】
2006239262.tif 000007
【図６】
2006239262.tif 000008
【図７】
2006239262.tif 000009